(57)【特許請求の範囲】
【請求項１】
連続した複数のブロックにより構成されるブロック列から任意のブロックを間引き、アナログ変換して再生する再生装置であって、
前記ブロック列から前記任意のブロックを間引く間引き部と、
間引きされた前記ブロックの直前のブロックを構成する連続した複数のオーディオ・デジタル・データ列の最後尾データに基づいて、間引きされた該ブロックの直後のブロックを構成する連続した複数のオーディオ・デジタル・データ列の先頭から連続した複数のデータのみの振幅の変化を前記最後尾データに対して単調増加または単調減少させる変換部とを備えたことを特徴とする再生装置。
【請求項２】
連続した複数のブロックにより構成されるブロック列から任意のブロックを間引き、アナログ変換して再生する再生装置であって、
前記ブロック列から前記任意のブロックを間引く間引き部と、
間引きされた前記ブロックの直後のブロックを構成する連続した複数のオーディオ・デジタル・データ列の先頭データに基づいて、間引きされた該ブロックの直前のブロックを構成する連続した複数のオーディオ・デジタル・データ列の最後尾から連続した複数のデータのみの振幅の変化を前記先頭データに対して単調増加または単調減少させる変換部とを備えたことを特徴とする再生装置。
【発明の詳細な説明】
【０００１】
【発明の属する技術分野】
本発明は、記録媒体に記録された音声及び音楽等のオーディオを表す連続する複数のオーディオ・デジタル・データを間引きし、間引きされたデータを早送り再生する再生装置に関する。
【０００２】
【従来の技術】
オーディオ・データを間引きして再生する場合、間引データに先立つその直前のデータと前記間引データに引き続くその直後のデータとの境目が不連続になることに起因する急激な音量の変化による雑音を低減する必要がある。そのために、前記間引データに先立つ連続する複数のデータの振幅、即ち音量を零に向けて徐々に小さくし、また、前記した境目での音量を零にし、さらに、前記間引データに引き続く複数のデータの音量を零から徐々に大きくすることが提案されている。この従来技術によれば、前記した間引きにより生じるデータの境目での急激な振幅の変化による雑音が低減される。
【０００３】
【発明が解決しようとする課題】
しかしながら、前記した音量を徐々に減少させ、一旦零にし、徐々に増加させるという操作は、前記間引データに先立つ複数のデータの音量及び前記間引データに引き続く複数のデータの音量を一時的に絞り込みその後に増大させることからうなりを生じさせ、このうなりが耳障りになるという問題があった。
従って、本発明の目的は、前記した雑音およびうなりを生ずることなく間引データの直前のデータ及び間引データの直後のデータを連結して良好な再生を可能とする再生装置を提供することにある。
【０００４】
【課題を解決するための手段】
本発明は、連続した複数のブロックにより構成されるブロック列から任意のブロックを間引き、アナログ変換して再生する再生装置であって、前記ブロック列から前記任意のブロックを間引く間引き部と、間引きされた前記ブロックの直前のブロックを構成する連続した複数のオーディオ・デジタル・データ列の最後尾データに基づいて、間引きされた該ブロックの直後のブロックを構成する連続した複数のオーディオ・デジタル・データ列の先頭から連続した複数のデータのみの振幅の変化を前記最後尾データに対して単調増加または単調減少させる変換部とを備えたことを特徴とする。他の発明は、連続した複数のブロックにより構成されるブロック列から任意のブロックを間引き、アナログ変換して再生する再生装置であって、前記ブロック列から前記任意のブロックを間引く間引き部と、
間引きされた前記ブロックの直後のブロックを構成する連続した複数のオーディオ・デジタル・データ列の先頭データに基づいて、間引きされた該ブロックの直前のブロックを構成する連続した複数のオーディオ・デジタル・データ列の最後尾から連続した複数のデータのみの振幅の変化を前記先頭データに対して単調増加または単調減少させる変換部とを備えたことを特徴とする。
【０００５】
【発明の実施の形態】
図１は、本発明に係る再生装置の具体例の構成を示す。この再生装置１は、図１に示されるように、磁気テープ及び磁気ディスク等の記録装置（図示せず）から出力される、音声及び音楽等のオーディオを表すオーディオ・デジタル・データを後述するデータ・ブロック単位で間引く間引部２と、該間引部２によって間引された間引データの直前のデータ及び前記間引データの直後のデータを連結し、前記直前のデータ及び前記直後のデータを含む複数のデータをデジタルからアナログに変換し、該変換により得られたアナログ・データを増幅器及びスピーカ等からなる再生機器（図示せず）へ出力する変換部３と、前記間引部２及び前記変換部３の動作を制御する制御部４とを含む。
【０００６】
図２は、前記記録装置から出力され前記再生装置へ入力されるオーディオ・デジタル・データの構成を示す。オーディオ・デジタル・データは、図２に示されているように、時間軸上に連続する複数のデータ・ブロック、例えばデータ・ブロックａ〜ｅを含み、さらに、データ・ブロックａ〜ｅのそれぞれは、６４個のデータＤ１〜Ｄ６４からなる。図２では、例えばデータ・ブロックａが６４個のデータＤ１〜Ｄ６４からなることが示されており、それらのデータＤ１〜Ｄ６４で特定される包絡線で示されるオーディオが再生されることを示す。このような複数のデータ・ブロックを含むオーディオ・デジタル・データをデータ・ブロック単位で間引くことにより、間引後のデジタル・データの再生周波数が間引前のデジタル・データの再生周波数より高くなることを回避することができる。
【０００７】
具体例の再生装置の動作について説明する。記録装置によって出力されたオーディオ・デジタル・データは、再生装置１に入力すると、間引部２でブロック単位で間引きされる。
図３は、間引部による間引後のデータ・ブロックを示す。間引部２は、データ・ブロックａ〜ｅを１データ・ブロック置きに間引くことにより、すなわち、データ・ブロックｂ、ｄを間引くことにより、図３に示されるようなデータ・ブロックａ、ｃ及びｅからなるデータ・ブロック列を生成する。生成されたデータ・ブロック列は、変換部３へ出力される。
【０００８】
図２に戻り、変換部３では、前記データ・ブロック列は、データ・ブロック同士の境目を円滑な振幅変化線に沿って連結される。より具体的には、一のデータ・ブロックに含まれる最後尾のデータと該一のデータ・ブロックに引き続く直後のデータ・ブロックに含まれる先頭の複数のデータとを、前記一のデータ・ブロックの最後尾のデータ及び前記直後のデータ・ブロックの最先頭のデータを基準として、前記先頭の複数のデータの振幅を単調増加または単調減少させることにより、前記最後尾のデータ及び前記先頭の複数のデータを円滑に連結する。
【０００９】
再び図３を参照するに、変換部３は、例えばデータ・ブロックａの最後尾のデータであるデータＤ６４の振幅、データ・ブロックａに引き続くデータ・ブロックｃの最先頭データＤ１の振幅、前記データ・ブロックｃの先頭の複数のデータＤ１〜Ｄ５の位置を表すｎ（ｎ＝１、２、３、４、５）を用いる以下の式（１）により、データＤ１〜Ｄ５に単調増加の変換を施した後の振幅Ｙ１〜Ｙ５を算出し、これらの振幅Ｙ１〜Ｙ５によりデータ・ブロックａ及びデータ・ブロックｃを円滑に連結する。
Ｙｎ＝データＤｎの振幅−｛（データＤ１の振幅−データＤ６４の振幅）×（５−ｎ）／５｝    …（１）
【００１０】
同様にして、変換部３は、データ・ブロックｃの最後尾のデータであるＤ６４の振幅、データ・ブロックｃに引き続くデータ・ブロックｅの最先頭のデータＤ１の振幅、前記したｎを用いる上記の式（１）により、前記データＤ１〜Ｄ５に単調減少の変換を施した後の振幅Ｙ１〜Ｙ５を算出し、これらの振幅Ｙ１〜Ｙ５によりデータ・ブロックｃ及びデータ・ブロックｅを円滑に連結する。
なお、変換部３は、データＤ１〜Ｄ５以外のデータであるデータＤ６〜Ｄ６４については、何ら変換を施すことなく、データＤ６〜Ｄ６４の振幅をそのまま出力する。
【００１１】
変換部３で上記した変換を施されると、データ・ブロック列は、今度は変換部３でデジタル／アナログ変換を施され、これにより、アナログ・データに変わる。生成されたアナログ・データは、再生機器へ出力される。このようにして、記録装置から出力されたオーディオ・デジタル・データは、再生機器によって再生される。
【００１２】
具体例の再生装置によれば、上記したように、間引部２がオーディオ・デジタル・データをデータ・ブロック単位で間引きし、変換部３が前記間引データ・ブロックに引き続く直後のデータ・ブロックに含まれる先頭の複数のデータを、前記直前のデータ・ブロックの最後尾のデータの振幅及び前記直後のデータ・ブロックの最先頭のデータの振幅を基準にして、前記直後のデータ・ブロックの先頭の複数のデータの振幅を単調増加または単調減少させることにより円滑に連結する。これにより、間引きによる急激な振幅の変化に起因する雑音の発生を回避することができ、併せて、従来のような振幅を減少させた後に増加させることに起因するうなりの発生を回避することが可能になる。
【００１３】
上記した例では、間引きされたデータ・ブロックに先立つ直前のデータ・ブロックに含まれる最後尾のデータの振幅を変化させることなく、間引きされたデータ・ブロックに引き続く直後のデータ・ブロックに含まれる先頭の５個のデータの振幅を単調増加又は単調減少させることにより、前記直前のデータ・ブロック及び前記直後のデータ・ブロックを円滑に連結する。このような連結に代えて、前記直後のデータ・ブロックの最先端のデータの振幅を変化させることなく、前記直前のデータ・ブロックに含まれる後尾の複数のデータの振幅を単調増加または単調減少させることによっても、前記直前のデータ・ブロック及び前記直後のデータ・ブロックを円滑に連結することが可能である。
【００１４】
より具体的には、データ・ブロックｃが前記直前のデータ・ブロックであり、データ・ブロックｅが前記直後のデータ・ブロックであることを想定すると、データ・ブロックｅに含まれる先頭のデータＤ１の振幅、データ・ブロックｃに含まれる最後尾のデータＤ６４の振幅、前記したｎを以下の式（２）に代入することにより、データＤ６０〜Ｄ６４に対応する振幅Ｚ６０〜Ｚ６４を得ることができる。
Ｚｎ＝データＤｎの振幅−｛（データＤ１の振幅−データＤ６４の振幅）×（５−ｎ）／５｝    …（２）
【００１５】
最先に説明した例では、データの振幅を単調増加または単調減少させる対象となるデータの個数は、５である。５個のデータに代えて、例えば３個のデータ、８個のデータまたは１０個のデータ等を用いることも可能である。単調増加または単調減少させる対象とするデータの個数を少なくするほど、前記式（１）または式（２）に基づく演算の量は減少するが、円滑の程度は低減する。他方、単調増加または単調減少させる対象とするデータの個数を多くするほど、前記式（１）または式（２）に基づく演算の量は増加するが、円滑の程度は増大する。
【００１６】
最先に説明した例では、変換部３は、複数のデータを単調増加または単調減少することによりデータ・ブロック同士を連結した後に、直ちに前記単調増加または単調減少を施されたデータ及び単調増加または単調減少を施されていないデータを全てアナログに変換する。
【００１７】
最先に説明した例では、記録装置から供給されるオーディオ・デジタル・データは、図２に示されるように、複数のデータ・ブロックを含み、各データ・ブロックは、６４個の圧縮されていないデータから構成されている。このような圧縮されていないデータに代えて、圧縮処理を施されたデータ、例えば、現在の時刻のデータが直前の時刻のデータを元に算出されるような処理を施されたデータを用いることも可能である。
【００１８】
図４は、オーディオ・デジタル・データの他の例を示す。このオーディオ・デジタル・データは、先に説明したオーディオ・デジタル・データと同様に、複数のデータ・ブロックを含み、各データ・ブロックは、６４個の圧縮されたデータ、及び該各データ・ブロックの直前のデータ・ブロックに含まれる最後尾のデータから該各データ・ブロックに含まれる最先頭のデータを得るためのヘッダ情報を含む。例えば、データ・ブロックｂは、６４個の圧縮されたデータＤｂ１〜Ｄｂ６４を含み、さらに、該データ・ブロックｂの直前のデータ・ブロックａの最後尾のデータＤａ６４から前記データ・ブロックｂの最先頭のデータＤｂ１を算出するためのヘッダ情報を含む。
【００１９】
間引部２は、このような構成を有すデジタル・データを記録装置から受け取ると、最先の例と同様にして、例えばデータ・ブロックｂを間引き、データ・ブロックａ及びｃを含むデータ・ブロック列を変換部３へ出力する。変換部３は、間引部２からデータ・ブロック列を受け取ると、上記した式（１）に従って、データ・ブロックａに含まれる最後尾のデータＤａ６４の振幅を変化させることなく、データ・ブロックｃに含まれる先頭の５個のデータＤｃ１〜Ｄｃ５の振幅を単調増加または単調減少させることにより、最先に説明した例と同様に、データ・ブロックａの最後尾のデータＤａ６４及びデータ・ブロックｃの先頭の５個のデータＤｃ１〜Ｄｃ５を円滑に連結することができる。
なお、上記した式（２）に従って、データ・ブロックａの後尾のデータＤａ６０〜Ｄａ６４を単調増加または単調減少させることにより、データ・ブロックａの後尾のデータＤａ６０〜Ｄａ６４及びデータ・ブロックｃの最先頭のデータＤｃ１を円滑に連結することも可能である。
【００２０】
【発明の効果】
本発明に係る再生装置によれば、上記したように、前記間引部が、連続する複数のオーディオ・デジタル・データの一部を間引きし、前記変換部が、前記間引部によって間引された間引データの直前のデータを含む前記間引データに先立つ連続する複数のデータ、及び前記間引データの直後のデータを含む前記間引データに引き続く連続する複数のデータのいずれか一方のみの連続する複数のデータの振幅の変化を単調増加または単調減少させることにより、前記間引データの直前のデータと前記間引データの直後のデータとを従来のような振幅の値を零に向けて減少させた後これに引き続いて零から増加させることを行わずに円滑な振幅変化線に沿って連結する。これにより、音量を徐々に減少させかつ徐々に増加させることに起因する従来のようなうなりの発生を回避することが可能になり、また前記間引データの直前のデータ及び前記間引データの直後のデータの振幅が急変することに起因する雑音の発生をも回避することが可能になる。
【図面の簡単な説明】
【図１】具体例の再生装置の構成を示す図である。
【図２】オーディオ・デジタル・データを示す図である。
【図３】間引後のデータ・ブロック列を示す図である。
【図４】圧縮されたデータを含むオーディオ・デジタル・データを示す図である。
【符号の説明】
１  再生装置
２  間引部
３  変換部
４  制御部
【図１】
0003947352.tif 000002
【図２】
0003947352.tif 000003
【図３】
0003947352.tif 000004
【図４】
0003947352.tif 000005